(57)【要約】【課題】ユーザが頭部に装着して、視線軸の位置合わせが容易な頭部装着型画像表示装置を提供する。【解決手段】本発明の頭部装着型画像表示装置は、画像を表示する表示光学系、表示光学系から射出された画像光をユーザの眼に導く接眼光学系、及び表示光学系から射出された画像光の光路上に接眼光学系を支持する支持具を有する画像表示ユニットと、画像表示ユニットをユーザの頭部に保持する保持部材とを備え、支持具は、表示光学系が収納されて画像光の出射窓が形成された第１収納室と、接眼光学系が収納されて画像光の入射窓が形成された第２収納室と、第１収納室と第２収納室との間に画像光の光路を形成するように支持する支持部と、を有し、第１収納室の出射窓が形成された面上の出射窓に隣接する位置に、接眼光学系を介してユーザの視線を出射窓に位置合わせするためのマークが配置される。【選択図】図４
2016200686.tif 000002
【特許請求の範囲】
【請求項１】
画像を表示する表示光学系、前記表示光学系から射出された画像光をユーザの眼に導く接眼光学系、及び前記表示光学系から射出された画像光の光路上に前記接眼光学系を支持する支持具を有する画像表示ユニットと、
前記画像表示ユニットをユーザの頭部に保持する保持部材と、を備え、
前記支持具は、
前記表示光学系が収納されて前記画像光が透過する出射窓が形成された第１収納室と、
前記接眼光学系が収納されて前記出射窓から射出した画像光が透過する入射窓が形成された第２収納室と、
前記第１収納室と前記第２収納室との間に画像光の光路を形成するように支持する支持部と、を有し、
前記第１収納室の出射窓が形成された面上の前記出射窓に隣接する位置に、前記接眼光学系を介してユーザの視線軸を前記出射窓に位置合わせするためのマークが配置されることを特徴とする頭部装着型画像表示装置。
【請求項２】
前記位置合わせするためのマークは、前記第１収納室の出射窓に対して左右水平方向及び上下垂直方向のそれぞれに少なくとも１箇所配置されることを特徴とする請求項１に記載の頭部装着型画像表示装置。
【請求項３】
前記位置合わせするためのマークは、前記出射窓の中心方向に向かう矢印で表示されることを特徴とする請求項２に記載の頭部装着型画像表示装置。
【請求項４】
前記位置合わせするためのマークは、前記出射窓の中心方向に向かって階調が変化する無彩色又は彩色のグラデーションで表示されることを特徴とする請求項２に記載の頭部装着型画像表示装置。
【請求項５】
前記位置合わせするためのマークは、前記表示光学系に備わる光源から導光部材を介して導光される表示灯で形成されることを特徴とする請求項２に記載の頭部装着型画像表示装置。
【請求項６】
前記位置合わせするためのマークを形成する表示灯の出射面上には、該表示灯から放射する光を拡散させるための光拡散部材またはレンズが形成されることを特徴とする請求項５に記載の頭部装着型画像表示装置。
【請求項７】
前記位置合わせするためのマークは、発光素子で形成されることを特徴とする請求項２に記載の頭部装着型画像表示装置。
【請求項８】
前記位置合わせするためのマークを形成する表示灯又は発光素子から放射される光は、上下垂直方向及び左右水平方向のそれぞれで異なる発光色を有することを特徴とする請求項５又は７に記載の頭部装着型画像表示装置。
【請求項９】
前記位置合わせするためのマークは、前記表示光学系に備わる光源から導光部材を介して導光される表示灯又は発光素子で形成されて前記出射窓の中心方向に向かう矢印で表示されることを特徴とする請求項２に記載の頭部装着型画像表示装置。
【発明の詳細な説明】
【技術分野】
【０００１】
本発明は、頭部装着型画像表示装置に関し、より詳しくは、装着時におけるユーザ視線軸と画像表示装置の出射光軸との位置合わせを容易にする調整指標を有する頭部装着型画像表示装置に関する。
【背景技術】
【０００２】
近年、ユーザの身体に取り付けて使用することのできるウェアラブルデバイスへの需要が高まりつつある。特に頭部に装着して使用するヘッドマウントディスプレイ（ＨＭＤ）では、ユーザがＨＭＤを装着した状態で活動を行うときに、必要な情報を確認したり、他のユーザと情報交換を行ったりする利用形態をサポートするため、ユーザが外界光による外界の実像を認識しながら、画像データに基づく画像光をユーザの眼に虚像として表示するタイプのものが提案されている。
【０００３】
例えば、特許文献１、２には、従来のＨＭＤが開示されている。
特許文献１には、画像表示部を眼鏡または他のヘッドギヤに取り付けることができる簡単な装着システムによって結合する頭部装着ディスプレイ・デバイスが開示されている。このディスプレイ・デバイスは、ユーザの目に細長い部材の延長方向を横切って周囲の光を通過することができるように構成された細長い部材からなるサポートを含み、このサポートに支持された液晶ディスプレイからの画像を、接眼レンズ組立体を介してユーザの眼に送るもので、接眼レンズは取付け具によりユーザの眼の前に装着される。
【０００４】
特許文献２には、網膜走査型であって、虚像と実像とを同時に視認させる画像表示装置が記載されている。画像光が入射する第１のレンズと、画像光が射出される第２のレンズとの間に第１のレンズを経由して入射した画像光を全反射して第２のレンズに射出する反射ミラーと、を備え、第２のレンズを、その光軸が観察者の瞳孔と交差するように配置し、反射ミラーを、その反射面が第２のレンズの光軸と交差するように配置する構成が開示されている。
【０００５】
特許文献１、２に記載されたＨＭＤは、いずれもユーザの眼の正面に接眼レンズを保持する構造を備え、このため、ユーザの正面視野に表示装置から射出された画像光が虚像として視認される。
【０００６】
しかしながら、従来のＨＭＤをユーザが頭部に装着する場合、接眼系レンズの開口数が小さいために、ユーザの視線軸を表示部の画像光の出射面に合わせるのが容易でないという問題があった。特に、視線軸がずれていたときにどちらの方向に装置を調整したらよいのかがわかりにくい。そのためユーザは、頭部装着型画像表示装置を使用する際に煩雑な位置合わせを行わなくてはならないという問題があった。
【先行技術文献】
【特許文献】
【０００７】
【特許文献１】特表２００３−５０２７１３号公報
【特許文献２】特開２００８−２１６５９９号公報
【発明の概要】
【発明が解決しようとする課題】
【０００８】
本発明は、上記従来の問題点に鑑みてなされたものであって、本発明の目的は、頭部装着時におけるユーザ視線軸と画像表示ユニットの画像光出射面との位置合わせが容易になり、小型軽量化した場合でも操作性を向上させた頭部装着型画像表示装置を提供提供することにある。
【課題を解決するための手段】
【０００９】
上記目的を達成するためになされた本発明の一態様による頭部装着型画像表示装置は、画像を表示する表示光学系、前記表示光学系から射出された画像光をユーザの眼に導く接眼光学系、及び前記表示光学系から射出された画像光の光路上に前記接眼光学系を支持する支持具を有する画像表示ユニットと、前記画像表示ユニットをユーザの頭部に保持する保持部材と、を備え、前記支持具は、前記表示光学系が収納されて前記画像光が透過する出射窓が形成された第１収納室と、前記接眼光学系が収納されて前記出射窓から射出した画像光が透過する入射窓が形成された第２収納室と、前記第１収納室と前記第２収納室との間に画像光の光路を形成するように支持する支持部と、を有し、前記第１収納室の出射窓が形成された面上の前記出射窓に隣接する位置に、前記接眼光学系を介してユーザの視線軸を前記出射窓に位置合わせするためのマークが配置されることを特徴とする。
【００１０】
前記位置合わせするためのマークは、前記第１収納室の出射窓に対して左右水平方向及び上下垂直方向のそれぞれに少なくとも１箇所配置され得る。
前記位置合わせするためのマークは、前記出射窓の中心方向に向かう矢印で表示され得る。
前記位置合わせするためのマークは、前記出射窓の中心方向に向かって階調が変化する無彩色又は彩色のグラデーションで表示され得る。
【００１１】
前記位置合わせするためのマークは、前記表示光学系に備わる光源から導光部材を介して導光される表示灯で形成され得る。
前記位置合わせするためのマークを形成する表示灯の出射面上には、該表示灯から放射する光を拡散させるための光拡散部材またはレンズが形成され得る。
前記位置合わせするためのマークは、発光素子で形成され得る。
前記位置合わせするためのマークを形成する表示灯又は発光素子から放射される光は、左右水平方向及び上下垂直方向のそれぞれで異なる発光色を有し得る。
前記位置合わせするためのマークは、前記表示光学系に備わる光源から導光部材を介して導光される表示灯又は発光素子で形成されて前記出射窓の中心方向に向かう矢印で表示され得る。
【発明の効果】
【００１２】
本発明の頭部装着型画像表示装置によれば、小型化した画像表示装置を頭部に装着する時に、ユーザ視線軸と頭部装着型画像表示装置の出射光軸との位置合わせが容易になり、速やかに装置の使用を開始できる。これにより、当該装置を使用する作業において、着脱を繰り返す場合または作業中に装置がずれた場合の再位置合わせに費やす時間を削減することができるため、作業効率が向上する効果を期待することができる。
【図面の簡単な説明】
【００１３】
【図１】本発明の一実施形態による頭部装着型画像表示装置のユーザが装着した状態における各構成要素を示す概略図である。
【図２】図１に示す本実施形態による頭部装着型画像表示装置の画像表示ユニットの構成を示す概略図であり、（ａ）は画像表示ユニットの平面図、（ｂ）はその正面図である。
【図３】図１に示す本実施形態による頭部装着型画像表示装置をユーザの頭部に装着した状態を示す図である。
【図４】本発明の一実施形態による画像表示ユニットの外観を示す斜視図である。
【図５】本発明の一実施形態による画像表示ユニットの外観の他の例を示す斜視図である。
【図６】本発明の一実施形態による画像表示ユニットの外観の更に他の例を示す斜視図である。
【図７】表示光学系に備わる光源から導光される形態の表示灯の構成を示す概略図であり、（ａ）は第１収納室の平面図、（ｂ）は第１収納室の正面図である。
【図８】表示光学系に備わる光源から導光される形態の表示灯の構成の他の例を示す概略図であり、（ａ）は第１収納室の平面図、（ｂ）は第１収納室の正面図である。
【図９】本発明の一実施形態による画像表示ユニットの外観のその他の例を示す斜視図である。
【発明を実施するための形態】
【００１４】
以下、本発明を実施するための形態の具体例を、図面を参照しながら詳細に説明する。
【００１５】
図１は、本発明の一実施形態による頭部装着型画像表示装置のユーザが装着した状態における各構成要素を示す概略図である。
【００１６】
頭部装着型画像表示装置１０は、画像表示ユニット１００及び本体部２００を備える。本体部２００は、その筐体内に画像表示ユニット１００を制御するための制御回路及びバッテリを内蔵し、ユーザの頭部に装着されるフレーム４００の右端または左端に可撓性の保持部材３００を介して固定支持される。フレーム４００は、プラスティック素材等から成る剛性構造体または可撓性を有する素材からなる柔構造物で構成される。
【００１７】
本実施形態において、本体部２００は、フレーム４００の右端部からユーザの頭側に沿って前方へ延びる直方体様の筐体を有し、その先端部に画像表示ユニット１００が取付けられる。画像表示ユニット１００は、可撓性の保持部材３００を介して画像光がユーザの眼Ｅに入るように光軸の位置調整が可能である。なお、本実施形態の頭部装着型画像表示装置１０は、これに限定されず、画像表示ユニット１００を可撓性の保持部材３００に直接結合し、本体部２００をフレーム４００の他の端部に配置する構成など、多様な形態で具現可能である。
【００１８】
図２は、図１に示す本実施形態による頭部装着型画像表示装置の画像表示ユニットの構成を示す概略図であり、（ａ）は画像表示ユニットの平面図、（ｂ）はその正面図である。
【００１９】
図２に示すように、画像表示ユニット１００は、光源２１、集光レンズ２２、及び画像データを表示する表示素子２３を備える表示光学系２０、表示光学系２０から射出された画像光Ｌをユーザの眼Ｅに導く接眼光学系３０、及び表示光学系２０と接眼光学系３０とが自由空間を経由する光経路に沿って配置されるように支持する支持具５０を備える。
【００２０】
支持具５０は、表示光学系２０を収納する第１収納室２０ａ、接眼光学系３０を収納する第２収納室３０ａ、及び第１収納室２０ａと第２収納室３０ａとを連結する支持部５１で構成される。また、第１収納室２０ａには、表示光学系２０から射出された画像光Ｌが透過する出射窓６０が形成され、第２収納室３０ａには、表示光学系２０からの画像光Ｌが透過する入射窓８０及び接眼光学系３０により導かれる光がユーザの眼Ｅに向かって透過する接眼窓９０が設けられる。
【００２１】
支持部５１は、上下方向（Ｚ軸方向）に互いに対面する２枚の支持板（５１ａ、５１ｂ）で構成され、両支持板の間には空間が存在する。したがって、支持部５１によってユーザの視線は遮られない。なお、両支持板（５１ａ、５１ｂ）を補強するために支持部５１を透明樹脂などの部材で覆うことも可能である。また、本実施形態では、支持部５１は互いに対面する２枚の支持板（５１ａ、５１ｂ）で形成されるが、これに限定されない。例えば、単一の支持板または支柱で形成され得る。また、支持板または支柱は透明部材で形成してもよい。
【００２２】
表示光学系２０は、図示しないが、光源２１からの光を均一化するための光学素子、偏光素子、及び駆動回路などで構成されて、画像データを画像光に変換して出射窓６０から射出する。
表示素子２３は、入射光を画像データに応じて変調することにより、画像を表示するものであって、例えば、光が通過する領域となる各画素がマトリクス状に配置された透過型液晶表示素子（ＬＣＤ）で構成される。
【００２３】
光源２１は、Ｒ（赤色）、Ｇ（緑色）、Ｂ（青色）の各色の光を放出するものであり、例えばＬＥＤ（発光ダイオード）から成る。なお、光源は、ＲＧＢ一体型のＬＥＤパネルで構成されることが好ましいが、単色光や白色光を放出するものであってもよい。光源２１からの光は、集光レンズ２２を介して集光されて表示素子２３に供給される。
【００２４】
接眼光学系３０は、表示光学系２０から射出された画像光Ｌをユーザの眼Ｅに導く光学系である。接眼光学系３０は、プリズム３１及び接眼レンズ３２を備える。
【００２５】
プリズム３１は、表示光学系２０から入射した画像光の光路をユーザの眼Ｅの方向に反射する手段として機能する導光部材である。プリズム３１は、画像光の入射面３１ａと、反射面３１ｂと、出射面３１ｃとを有する形状である。
接眼レンズ３２は、正のパワー（屈折力）を持ち、画像光Ｌをユーザの眼Ｅに集光する。なお、プリズム３１は、単一のプリズムで構成されるか、または複数プリズムを組み合わせて構成される。本実施形態では、プリズム３１は、入射面３１ａに接合された接眼レンズ３２と一体に形成される。
【００２６】
上記構成によって、光源２１から出射された光は集光レンズ２２で集光されて透過型表示素子２３に入射して表示素子によって変調されて画像光Ｌになり、接眼光学系３０の入射窓８０に入射する。入射窓８０は、図２においてプリズム３１の入射面３１ａに接合された接眼レンズ３２の入射面に相当する。接眼光学系３０では、画像光Ｌが接眼レンズ３２を介して入射面３１ａからプリズム３１の内部に入射し、プリズム３１の内部を横（Ｘ）方向に沿って進行し、反射面３１ｂで光路が折り曲げられて奥行き（Ｙ）方向手前に向きを変えて進行する。これにより、画像光はプリズム３１の出射面３１ｃ（本実施形態における接眼窓に対応）を介してユーザの眼Ｅに導かれ、ユーザは、表示素子２３によって表示された画像の拡大虚像を観察することができる。
【００２７】
なお、画像データを画像光に変換する方法は、上述した透過型表示素子を用いる構成に限定されず、例えば、図示しないが反射型液晶表示素子及び偏光ビームスプリッター（ＰＢＳ）を用いて構成することも可能である。
【００２８】
以下、ユーザが、頭部装着型画像表示装置を装着して、当該装置を使用して画像を見るために実施する視線軸の位置合わせの手順を説明する。
【００２９】
図３は、図１に示す本実施形態による頭部装着型画像表示装置をユーザの頭部に装着した状態を示す図である。図３に示すように、ユーザの頭側に装着された頭部装着型表示装置１０の接眼光学系３０は、ユーザの眼前に位置するように調整して保持される。
【００３０】
図４は、本発明の一実施形態による画像表示ユニットの外観を示す斜視図である。図４に示すように、画像表示ユニット１００の支持具５０は、第１収納室２０ａに設けられた出射窓６０と第２収納室３０ａの入射窓８０とが対向して、表示光学系２０から射出された画像光の光路上に接眼光学系３０が配置されるように支持部５１によって支持される構成である。ユーザは、第２収納室３０ａの接眼窓９０側から、接眼光学系３０を通して第１収納室２０ａの出射窓６０を観察することにより、表示光学系２０から射出された画像光を視認する。
【００３１】
より具体的に、ユーザは、図３に示すように頭部装着型画像表示装置をユーザの頭部に装着した状態で、良好な画像表示を得るために、図４に示す接眼光学系３０が収納された第２収納室３０ａの接眼窓９０に対応する出射面３１ｃを注視しながら、第１収納室２０ａの出射窓６０の全面がユーザに見える位置に、即ちユーザの視線軸が接眼光学系３０を介して表示光学系２０から射出する画像光の光路に一致するように画像表示ユニットの位置を調整する。
【００３２】
しかし、頭部装着型画像表示装置は、小型軽量化が求められるため、画像表示素子及び接眼光学系の画角が小さく、視角依存性が大きい。このため、ユーザは、装着直後に第２収納室３０ａの接眼窓９０を通して第１収納室２０ａの出射窓６０を見つけづらく、また出射窓６０の一部を視認した後も、出射窓６０の全面が視線軸に対して中央に位置するように調整するためにどちらの方向に動かせばよいかが分かりづらい。
【００３３】
本実施形態による頭部装着型画像表示装置は、図４に示すように、第１収納室２０ａの出射窓６０が形成された面６５上の出射窓６０に隣接する位置に、接眼光学系を介してユーザの視線軸を出射窓６０に位置合わせするための指標、即ち調整指標としてマーク（７０ａ、７０ｂ、７０ｃ、７０ｄ）が配置される。
【００３４】
図４に示す位置合わせするためのマークは、第１収納室２０ａの出射窓６０に対して左右水平方向（７０ａ、７０ｂ）及び上下垂直方向（７０ｃ、７０ｄ）のそれぞれに出射窓６０の中心方向に向かう矢印で表示される。ユーザは、このマークに基づいて画像表示装置の位置を調整することで、移動方向を的確に認識できるため、位置合わせの操作が容易になる。
【００３５】
図５は、本発明の一実施形態による画像表示ユニットの外観の他の例を示す斜視図である。図５を参照すると、第１収納室２０ａの出射窓６０が形成された面６５上の出射窓６０に隣接する位置に、位置合わせのための指標、即ち調整指標として、出射窓の中心方向に向かって階調が変化する無彩色のグラデーションによるマーク７１が配置される。
【００３６】
図５に示す無彩色のグラデーションによる位置合わせするためのマーク７１は、第１収納室２０ａの出射窓６０に対して出射窓６０の中心方向に向かって黒色から白色に向かって階調が変化するグラデーションで表示される。この例では、矢印に比べて表示面積が多いため、装着直後に出射窓６０の一部を見つけやすい利点がある。ユーザは、このマークに基づいて画像表示装置の位置を調整することで、移動方向を的確に認識できるため、位置合わせの操作が容易になる。
なお、本実施形態では無彩色のグラデーションを配置しているが、これに限定されない。例えば、より視認性を高くするため、彩色の階調が変化するグラデーションや、色彩によるグラデーションを配置することも可能である。
【００３７】
図６は、本発明の一実施形態による画像表示ユニットの外観の更に他の例を示す斜視図である。図６を参照すると、第１収納室２０ａの出射窓６０が形成された面６５上の出射窓６０に隣接する位置に、位置合わせのための指標、即ち調整指標として、表示灯による位置合わせするためのマーク（７２ａ、７２ｂ、７２ｃ、７２ｄ）が配置される。
【００３８】
図６に示す位置合わせするためのマークは、第１収納室２０ａの出射窓６０に対して左右水平方向（７２ａ、７２ｂ）及び上下垂直方向（７２ｃ、７２ｄ）のそれぞれに出射窓６０を挟んで対向する位置に配置される。この例では、マーク自体が光を発するために、周囲が暗い環境においても出射窓６０の一部を見つけやすい利点がある。
【００３９】
図６に示す位置合わせのためのマークを構成する表示灯は、発光ダイオード（ＬＥＤ）を使用するか、または表示光学系に備わる光源から光ファイバーなどの導光部材を介して導光される形態の表示灯で形成される。
【００４０】
図７は、表示光学系に備わる光源から導光される形態の表示灯の構成を示す概略図であり、（ａ）は第１収納室の平面図、（ｂ）は第１収納室の正面図である。図７を参照すると、第１収納室２０ａの出射窓６０が形成された面６５上の出射窓６０に隣接する位置に、位置合わせするためのマーク（７２ａ、７２ｂ、７２ｃ、７２ｄ）を構成する表示灯の光出射口がそれぞれ配置される。第１収納室２０ａ内には表示光学系が収納されて、光源２１、集光レンズ２２、及び表示素子２３が備えられ、それぞれの表示灯には、光源２１から放出された光の一部が、光ファイバー２５によって導光される。光ファイバー２５の入射側の端部には導光用のレンズ２４を配置してもよい。
【００４１】
図８は、表示光学系に備わる光源から導光される形態の表示灯の構成の他の例を示す概略図であり、（ａ）は第１収納室の平面図、（ｂ）は第１収納室の正面図である。図８に示すように、この例では、それぞれの表示灯は、それぞれの光出射口に出射光を拡散させるための光拡散部材またはレンズが接合された形態を有し、第１収納室２０ａの出射窓６０が形成された面６５上の出射窓６０に隣接する位置に、位置合わせするためのマーク（７３ａ、７３ｂ、７３ｃ、７３ｄ）を構成する表示灯の光出射面がそれぞれ配置される。これにより、表示灯からの光がより広角に放射されるので、ユーザは表示灯の位置をより容易に認識できるという利点がある。
【００４２】
図６〜図８に示す表示灯を位置合わせするための指標、つまりマークとして使用する形態では、表示灯又は発光素子から放射される光が、左右水平方向及び上下垂直方向のそれぞれで異なる発光色を有するように、表示灯又は発光素子の出射面を覆うカラーフィルムあるいはカラー樹脂を備えてもよい。例えば、左右水平方向のマークは緑色光を、上下垂直方向に並ぶマークは赤色光を放射するように、それぞれの表示灯又は発光素子の出射面を覆うカラーフィルムあるいはカラー樹脂の色を調整する。なお、発光素子の場合は、発光素子自体に赤色ＬＥＤ及び緑色ＬＥＤを採用することで、カラーフィルムあるいはカラー樹脂を用いずに配色を設定することができる。
【００４３】
表示灯又は発光素子による位置合わせのためのマークを左右水平方向及び上下垂直方向のそれぞれで異なる発光色を有する構成にすることで、ユーザは、移動方向をより的確に認識できるため、位置合わせの操作が容易になる。
【００４４】
図９は、本発明の一実施形態による画像表示ユニットの外観のその他の例を示す斜視図である。図９を参照すると、第１収納室２０ａの出射窓６０が形成された面６５上の出射窓６０に隣接する位置に、出射窓６０の中心方向に向かう矢印及び表示灯による位置合わせするためのマーク（７０ａ、７０ｂ、７２ｃ、７２ｄ）がそれぞれ対向するように組み合わされて配置される。
【００４５】
図９に示すように、表示灯と矢印を組み合わせて位置合わせするための指標、つまりマークとして使用する形態では、例えば、左右水平方向のマークは矢印、上下垂直方向に並ぶマークは表示灯又は発光素子を配置する。左右水平方向及び上下垂直方向のそれぞれに異なる形態のマークを配置することで、出射窓の位置確認と移動方向の認識をより容易にすることができる。
【００４６】
このように、本発明によれば、頭部装着時におけるユーザの視線軸と画像表示ユニットの画像光出射面との位置合わせが容易になり、小型軽量化した場合でも操作性を向上させた頭部装着型画像表示装置を提供することができる。
【００４７】
以上、本発明の実施形態について図面を参照しながら詳細に説明したが、本発明は、上述の実施形態に限定されるものではなく、本発明の技術的範囲から逸脱しない範囲内で多様に変更実施することが可能である。
【符号の説明】
【００４８】
１０    頭部装着型画像表示装置
２０    表示光学系
２０ａ    第１収納室
２１    光源
２２    集光レンズ
２３    表示素子
２４    導光用レンズ
２５    光ファイバー
３０    接眼光学系
３０ａ    第２収納室
３１    プリズム
３１ａ    入射面
３１ｂ    反射面
３１ｃ    出射面
３２    接眼レンズ
５０    支持具
５１    支持部
５１ａ、５１ｂ    支持板
６０    出射窓
６５    出射窓が形成された面
７０ａ、７０ｂ、７０ｃ、７０ｄ    位置合わせするためのマーク
７１    無彩色のグラデーションによる位置合わせするためのマーク
７２ａ、７２ｂ、７２ｃ、７２ｄ    表示灯による位置合わせするためのマーク
７３ａ、７３ｂ、７３ｃ、７３ｄ    光拡散部材またはレンズが接合された表示灯による位置合わせするためのマーク
８０    入射窓
９０    接眼窓
１００    画像表示ユニット
２００    本体部
２１０    保持部
３００    保持部材
４００    フレーム
【図１】
2016200686.tif 000003
【図２】
2016200686.tif 000004
【図３】
2016200686.tif 000005
【図４】
2016200686.tif 000006
【図５】
2016200686.tif 000007
【図６】
2016200686.tif 000008
【図７】
2016200686.tif 000009
【図８】
2016200686.tif 000010
【図９】
2016200686.tif 000011